(57)【要約】【課題】対物レンズ駆動装置において、フォーカシング方向の駆動およびトラッキング方向への駆動時の不要共振の低減を実現する。【解決手段】第１の多極マグネット４および第２の多極マグネット５を取り付けているベース部６の構造を変更し、その強度を弱くすることにより、レンズフォルダ２のフォーカス方向Ｆへの駆動及びトラッキング方向Ｔへの駆動時に発生する不要共振をベース部６で吸収することができ、その結果不要共振の低減することができる。【選択図】図１
2005310237.tif 000002
【特許請求の範囲】
【請求項１】
ディスクに垂直な方向であるフォーカシング方向に光軸を有する対物レンズ及び前記対物レンズを保持するレンズホルダを有する可動体と、ベースと、前記可動体を前記ベースに対して前記フォーカシング方向および前記ディスクの半径方向であるトラッキング方向に移動可能に弾性支持する支持手段と、前記レンズホルダの略中央に取り付けられたフォーカシングコイルおよびトラッキングコイル、前記ベースに固定された第１のマグネットおよび第２のマグネットからなる駆動手段とを備え、前記対物レンズを前記可動体の中央からずれた位置に配置する構成の対物レンズ駆動装置であって、
前記フォーカシングコイルおよび前記トラッキングコイルは、前記フォーカシング方向および前記トラッキング方向に垂直な方向に各々巻回軸を有する扁平なコイルであり、
前記ベースは、前記巻回軸方向に沿って前記フォーカシングコイルおよび前記トラッキングコイルを、空隙を有して挟み込むように前記対物レンズに近い側に前記第１のマグネットを、遠い側に前記第２のマグネットを配置し、前記第1のマグネットおよび前記第２のマグネット取り付け部のベース部分の強度を弱めたことを特徴とする対物レンズ駆動装置。
【発明の詳細な説明】
【技術分野】
【０００１】
本発明は、円盤状記録媒体に光学的に情報を記録又は再生する光ディスク装置に搭載される光ヘッドの対物レンズ駆動装置であって、フォーカシング方向およびトラッキング方向への駆動時の不要共振が起こらない対物レンズ駆動装置に関するものである。
【背景技術】
【０００２】
対物レンズ駆動装置は、コンパクトディスクなどの円盤状記録媒体（以下、ディスクという）に光学的に情報を記録又は再生する装置に、ディスクの所定の半径方向に前記ディスクに平行に移動可能に組み込まれ、ディスクの面振れによるフォーカシングずれや偏心などによるトラッキングずれを補正するために、対物レンズを前記対物レンズの光軸方向であるディスクに対して垂直な方向（以下、フォーカシング方向という）、及びディスクの前記所定の半径方向（以下トラッキング方向という）の２方向に駆動するものである。
【０００３】
近年、光ディスク装置の高密度化および高転送レート化が進展しており、従って、対物レンズの高精度な位置決め制御と光ディスクを高速回転して情報の記録再生を高転送レート化する必要性が増している。このような対物レンズ駆動装置を含む光学的情報記録再生装置において、対物レンズ駆動装置で不要共振が生じていると、光学ベースとドッキングし光ヘッドとなったとき不要共振が増大してしまいドライブ状態になったとき発振の原因となる。
【０００４】
加えて装置の小型化、特に薄型化も同時に要求されており、限られたスペースの中で不要共振がおこらない対物レンズ駆動装置を構成することがより困難となっている。
【０００５】
以下、図面を参照しながら、上記した薄型構成における従来の対物レンズ駆動装置の一例について説明する。
【０００６】
図５は従来の対物レンズ駆動装置の構成を示す分解斜視図、図６は従来の対物レンズ駆動装置の構成を示す平面図、図７（ｂ）は従来の対物レンズ駆動装置の第１の多極マグネット４、第２の多極マグネット５とプリントコイル３の位置関係を説明するための模式的な平面図であり、図７（ａ）は図７（ｂ）を矢印Ｕの方向から見た場合の第２の多極マグネット５とトラッキングコイル部３ｂ、３ｃの位置関係を透視的に表した模式的な側面図、図７（ｃ）は図７（ｂ）を矢印Ｖの方向から見た場合の第１の多極マグネット４とフォーカシングコイル部３ａの位置関係を透視的に表した模式的な側面図である。また、図８は従来の対物レンズ駆動装置を駆動したときのシミュレーションの結果を示す模式図である。
【０００７】
図５、図６および図３（ａ）、図７（ｂ）、図７（ｃ）において、Ｆはフォーカシング方向、Ｔはトラッキング方向、Ｋはフォーカシング方向Ｆおよびトラッキング方向Ｔに垂直な方向Ｋを示しており、これらフォーカシング方向Ｆ，トラッキング方向Ｔ，及び方向Ｋはそれぞれ、３次元の直交座標における各座標軸の方向に相当する方向を有している。
【０００８】
図５および図６において、２は成形された樹脂からなるレンズホルダであり、レンズホルダ２には対物レンズ１が搭載されており、かつ対物レンズ１を避けた位置にフォーカシング方向Ｆに沿って略長方形状の貫通穴があけられている。また、レンズホルダ２の略中央部にフォーカシング方向Ｆおよびトラッキング方向Ｔを含む平面に平行にプリントコイル３が取り付けられている。
【０００９】
プリントコイル３は基板上に方向Ｋと平行な軸の周りに導電性材料を渦巻き状に付着させてコイル構造を形成しており、フォーカシングコイル部３ａを構成する層とトラッキングコイル部３ｂ、３ｃを構成する層の２種類の層からなる。また、フォーカシングコイル部３ａは対物レンズ１に近い側に、トラッキングコイル部３ｂ、３ｃは対物レンズ１から遠い側に配置されており、トラッキングコイル部３ｂと３ｃは直列に配線されている。
【００１０】
さらに、レンズホルダ２のトラッキング方向Ｔに垂直な２つの側面には各々中継端子板９が固定されておりプリントコイル３上に形成されたフォーカシングコイル３ａの両端端子およびトラッキングコイル部３ｂ、３ｃの両端端子が半田付けによって接続されている。
【００１１】
従って、対物レンズ１、レンズホルダ２、プリントコイル３、中継端子板９によって可動体が構成されている。また、可動体は対物レンズ１の光軸を含みトラッキング方向Ｔに垂直な平面に対して対称な形状となっており、可動体の重心は前記の平面上でプリントコイル３の面と交わる線上に位置するように設定されている。
【００１２】
４は同一面に複数の磁極領域を有する第１の多極マグネットであり、トラッキング方向Ｔと平行な１つの磁界境界線で区切られた磁極領域４ａと磁極領域４ｂの２つ磁極領域によって構成されている。
【００１３】
５は同一面に複数の磁極領域を有する第２の多極マグネットであり、フォーカシング方向Ｆと略平行な２つの磁界境界線とトラッキング方向Ｔと平行な１つの磁界境界線を組み合わせてできるコの字の磁界境界線で区切られた四角形状の磁極領域５ａと凹の字形状の磁極領域５ｂの２つ磁極領域によって構成されている。
【００１４】
第１の多極マグネット４および第２の多極マグネット５はプリントコイル３を空隙を有して挟み込む位置でかつ対物レンズ１に近い側に第１の多極マグネット４は取り付部６ａに配置され、遠い側に第２の多極マグネット５は取り付部６ｂに配置され、ベース６に固定されている。
【００１５】
第１の多極マグネット４の磁極領域４ａと第２の多極マグネット５の磁極領域５ａの対向する磁極面は、各々Ｓ極とＮ極となっており、互いに異極が対向するようになっている。同様に第１の多極マグネット４の磁極領域４ｂと第２の多極マグネット５の磁極領域５ｂの一部対向する磁極面は各々Ｎ極とＳ極となっており、異極が対向するように配置されている。
【００１６】
フォーカシングコイル部３ａのうちフォーカシング駆動に寄与する有効コイル領域３ａ１は第１の多極マグネット４の磁極領域４ａと、有効コイル領域３ａ２は第１の多極マグネット４の磁極領域４ｂと各々対向している。
【００１７】
トラッキングコイル部３ｂのうちトラッキング駆動に寄与する有効コイル領域３ｂ１は第２の多極マグネット５の磁極領域５ａと、有効コイル領域３ｂ２は第２の多極マグネット５の磁極領域５ｂと各々対向しており、同様にトラッキングコイル部３ｃのうちのトラッキング駆動に寄与する有効コイル領域３ｃ１は第２の多極マグネット５の磁極領域５ａと、有効コイル領域３ｃ２は第２の多極マグネット５の磁極領域５ｂと各々対向している。
【００１８】
そして、第１の多極マグネット４のトラッキング方向Ｔの幅寸法Ｍと、第２の多極マグネット５のトラッキング方向Ｔの幅寸法Ｎおよび第１の多極マグネット４の取り付部６ａのトラッキング方向の幅寸法Ｌの関係は、Ｌ＜Ｍ＜Ｎ、となっている。
【００１９】
フォーカシングコイル部３ａの両端子、トラッキングコイル部３ｂ、３ｃの両端子が接続された２つの中継端子板９には各々２本合計４本のワイヤー７ａ〜７ｄが半田付けにより接続され、ワイヤー７ａ〜７ｄはベース６に固定されたサスホルダ８に取り付けられた固定基板１０に半田付けされている。
【００２０】
ワイヤー７ａ〜７ｄはベリリウム銅やリン青銅等の弾性金属材料からなり、円形，略多角形，又は楕円形等の断面形状を有する線材，又は棒材が用いられる。また、ワイヤー７ａ〜７ｄの支持中心は、可動体の重心に略一致するように設定されている。
【００２１】
次に、以上のように構成された対物レンズ駆動装置の動作を図７（ａ）、図７（ｂ）、図７（ｃ）を用いて説明する。
【００２２】
まず、可動体のフォーカシング方向Ｆへの駆動動作を説明する。
【００２３】
図７（ｃ）においてフォーカシングコイル部３ａに図示の矢印方向Ｉｆに電流を流すと、有効コイル領域３ａ１に対向する磁極領域４ａはＳ極、有効コイル領域３ａ２に対向する磁極領域４ｂはＮ極であるので、フォーカシングコイル部３ａの有効コイル領域３ａ１、３ａ２にはいずれも矢印方向Ｐｆの駆動力が発生する。すなわち、フォーカシングコイル部３ａに発生した駆動力Ｐｆによってレンズホルダ２はフォーカシング方向Ｆに駆動されることとなる。
【００２４】
つぎに、可動体のトラッキング方向Ｔへの駆動動作を説明する。
【００２５】
図３（ａ）においてトラッキングコイル部３ｂ、３ｃに図示の矢印方向Ｉｔに電流を流すと、有効コイル領域３ｂ１および有効コイル領域３ｃ１に対向する磁極領域５ａはＮ極、有効コイル領域３ｂ２および有効コイル領域３ｃ２に対向する磁極領域５ｂはＳ極であるので、トラッキングコイル部３ｂ、３ｃの有効コイル領域３ｂ１、３ｂ２、３ｃ１、３ｃ２にはいずれも矢印方向Ｐｔの駆動力が発生する。すなわち、トラッキングコイル部３ｂ、３ｃに発生した駆動力Ｐｔによってレンズホルダ２はトラッキング方向Ｔに駆動されることとなる。
【００２６】
以上、説明した対物レンズ駆動装置をフォーカシング方向およびトラッキング方向に駆動すると、不要共振がベース６の一帯に発生する。これは、シミュレーションにより確かめることができる。図８に示すシミュレーション結果の通り、全体的に白っぽく見える所が、不要共振の発生を示す場所であり、全体的に広がっているのが分かる。
【００２７】
なお、上記説明そのものではないが、不要共振について考慮した従来の技術を示すものとしては、特許文献１などが知られている。
【特許文献１】特開２００２−２７９６６２号公報
【発明の開示】
【発明が解決しようとする課題】
【００２８】
しかしながら、前記の従来例では不要共振の低減を要求される場合に以下のような課題を有する。
【００２９】
前記の従来例における駆動については、フォーシング方向及びトラッキング方向に駆動するときに発生する反発力によりベース６が微量に振動し不要共振が発生してしまう。
【００３０】
本発明はかかる問題点を解決するためになされたもので、不要共振を低減することができ、光ディスクを高速回転した場合でも良好な追従性能を確保して記録再生信号の劣化を抑制することのできる対物レンズ駆動装置を提供することを目的としている。
【課題を解決するための手段】
【００３１】
本発明に係る対物レンズ駆動装置は、ディスクに垂直な方向であるフォーカシング方向に光軸を有する対物レンズ、対物レンズを保持するレンズホルダを有する可動体と、ベースと、可動体をベースに対してフォーカシング方向およびディスクの半径方向であるトラッキング方向に移動可能に弾性支持する支持手段と、レンズホルダの略中央に取り付けられたフォーカシングコイルおよびトラッキングコイル、ベースに固定された第１の多極マグネットおよび第２の多極マグネットからなる駆動手段とを備えており、対物レンズを可動体中央からずれた位置に配置する構成の対物レンズ駆動装置において、フォーカシングコイルおよびトラッキングコイルはフォーカシング方向およびトラッキング方向に垂直な方向に各々巻回軸を有する扁平なコイルであって、第１の多極マグネットと第２の多極マグネットは前記巻回軸方向に沿ってフォーカシングコイルおよびトラッキングコイルを空隙を有して挟み込むように対物レンズに近い側に第１の多極マグネット、遠い側に第２の多極マグネットが配置されており、第１の多極マグネットおよび第２の多極マグネットを取り付けているベース部分の強度を弱くしている。
【発明の効果】
【００３２】
本発明によれば、第１の多極マグネットおよび第２の多極マグネットを取り付けるベース部分の強度を弱くする事によりフォーカシング方向およびトラッキング方向への駆動時に発生するベースの振動を分散することができ、不要共振を低減することができる。
【発明を実施するための最良の形態】
【００３３】
以下本発明の実施の形態について、図面を参照しながら説明する。
【００３４】
（実施の形態１）
図１は本発明の実施の形態１による対物レンズ駆動装置の構成を示す分解斜視図、図２は本発明の実施の形態１による対物レンズ駆動装置の構成を示す平面図、図３（ｂ）は実施の形態１による対物レンズ駆動装置の第１の多極マグネット４、第２の多極マグネット５とプリントコイル３の位置関係を説明するための模式的な平面図であり、図３（ａ）は図３（ｂ）を矢印Ｕの方向から見た場合の第２の多極マグネット５とトラッキングコイル部３ｂ、３ｃの位置関係を透視的に表した模式的な側面図、図３（ｃ）は図３（ｂ）を矢印Ｖの方向から見た場合の第１の多極マグネット４とフォーカシングコイル部３ａの位置関係を透視的に表した模式的な側面図である。また、また、図４は本実施の形態による対物レンズ駆動装置を駆動したときのシミュレーションの結果を示す模式図である。
【００３５】
図１、図２および図３（ａ）、図３（ｂ）、図３（ｃ）において、Ｆはフォーカシング方向、Ｔはトラッキング方向、Ｋはフォーカシング方向Ｆおよびトラッキング方向Ｔに垂直な方向Ｋを示しており、これらフォーカシング方向Ｆ，トラッキング方向Ｔ，及び方向Ｋはそれぞれ、３次元の直交座標における各座標軸の方向に相当する方向を有している。
【００３６】
図１および図２において、２は成形された樹脂からなるレンズホルダであり、レンズホルダ２には対物レンズ１が搭載されており、かつ対物レンズ１を避けた位置にフォーカシング方向Ｆに沿って略長方形状の貫通穴があけられている。また、レンズホルダ２の略中央部にフォーカシング方向Ｆおよびトラッキング方向Ｔを含む平面に平行にプリントコイル３が取り付けられている。
【００３７】
プリントコイル３は基板上に方向Ｋと平行な軸の周りに導電性材料を渦巻き状に付着させてコイル構造を形成しており、フォーカシングコイル部３ａを構成する層とトラッキングコイル部３ｂ、３ｃを構成する層の２種類の層からなる。また、フォーカシングコイル部３ａは対物レンズ１に近い側に、トラッキングコイル部３ｂ、３ｃは対物レンズ１から遠い側に配置されており、トラッキングコイル部３ｂと３ｃは直列に配線されている。
【００３８】
さらに、レンズホルダ２のトラッキング方向Ｔに垂直な２つの側面には各々中継端子板９が固定されておりプリントコイル３上に形成されたフォーカシングコイル３ａの両端端子およびトラッキングコイル部３ｂ、３ｃの両端端子が半田付けによって接続されている。
【００３９】
従って、対物レンズ１、レンズホルダ２、プリントコイル３、中継端子板９によって可動体が構成されている。また、可動体は対物レンズ１の光軸を含みトラッキング方向Ｔに垂直な平面に対して対称な形状となっており、可動体の重心は前記の平面上でプリントコイル３の面と交わる線上に位置するように設定されている。
【００４０】
４は同一面に複数の磁極領域を有する第１の多極マグネットであり、トラッキング方向Ｔと平行な１つの磁界境界線で区切られた磁極領域４ａと磁極領域４ｂの２つ磁極領域によって構成されている。
【００４１】
５は同一面に複数の磁極領域を有する第２の多極マグネットであり、フォーカシング方向Ｆと略平行な２つの磁界境界線とトラッキング方向Ｔと平行な１つの磁界境界線を組み合わせてできるコの字の磁界境界線で区切られた四角形状の磁極領域５ａと凹の字形状の磁極領域５ｂの２つ磁極領域によって構成されている。
【００４２】
６はベースであり、形状の相違は図１に示した通りであり、図５に示した従来のものに比べ、側部の穴を長く形成したり、切り込みを設けたりすることで、強度を弱めている。
【００４３】
第１の多極マグネット４および第２の多極マグネット５はプリントコイル３を空隙を有して挟み込む位置でかつ対物レンズ１に近い側に第１の多極マグネット４は取り付部６ａに配置され、遠い側に第２の多極マグネット５は取り付部６ｂに配置され、ベース６に固定されている。
【００４４】
第１の多極マグネット４の磁極領域４ａと第２の多極マグネット５の磁極領域５ａの対向する磁極面は各々Ｓ極とＮ極となっており、互いに異極が対向するようになっている。同様に第１の多極マグネット４の磁極領域４ｂと第２の多極マグネット５の磁極領域５ｂの一部対向する磁極面は各々Ｎ極とＳ極となっており、異極が対向するように配置されている。
【００４５】
フォーカシングコイル部３ａのうちフォーカシング駆動に寄与する有効コイル領域３ａ１は第１の多極マグネット４の磁極領域４ａと、有効コイル領域３ａ２は第１の多極マグネット４の磁極領域４ｂと各々対向している。
【００４６】
トラッキングコイル部３ｂのうちトラッキング駆動に寄与する有効コイル領域３ｂ１は第２の多極マグネット５の磁極領域５ａと、有効コイル領域３ｂ２は第２の多極マグネット５の磁極領域５ｂと各々対向しており、同様にトラッキングコイル部３ｃのうちのトラッキング駆動に寄与する有効コイル領域３ｃ１は第２の多極マグネット５の磁極領域５ａと、有効コイル領域３ｃ２は第２の多極マグネット５の磁極領域５ｂと各々対向している。
【００４７】
そして、第１の多極マグネット４のトラッキング方向Ｔの幅寸法Ｍと第２の多極マグネット５のトラッキング方向Ｔの幅寸法Ｎおよび第１の多極マグネット４の取り付部６ａのトラッキング方向の幅寸法Ｌの関係は、Ｌ＜Ｍ＜Ｎ、となっている。
【００４８】
フォーカシングコイル部３ａの両端子、トラッキングコイル部３ｂ、３ｃの両端子が接続された２つの中継端子板９には各々２本合計４本のワイヤー７ａ〜７ｄが半田付けにより接続され、ワイヤー７ａ〜７ｄはベース６に固定されたサスホルダ８に取り付けられた固定基板１０に半田付けされている。
【００４９】
ワイヤー７ａ〜７ｄはベリリウム銅やリン青銅等の弾性金属材料からなり、円形，略多角形，又は楕円形等の断面形状を有する線材，又は棒材が用いられる。また、ワイヤー７ａ〜７ｄの支持中心は、可動体の重心に略一致するように設定されている。
【００５０】
次に、以上のように構成された対物レンズ駆動装置の動作を図３（ａ）、図３（ｂ）、図３（ｃ）を用いて説明する。
【００５１】
まず、可動体のフォーカシング方向Ｆへの駆動動作を説明する。
【００５２】
図３（ｃ）においてフォーカシングコイル部３ａに図示の矢印方向Ｉｆに電流を流すと、有効コイル領域３ａ１に対向する磁極領域４ａはＳ極、有効コイル領域３ａ２に対向する磁極領域４ｂはＮ極であるので、フォーカシングコイル部３ａの有効コイル領域３ａ１、３ａ２にはいずれも矢印方向Ｐｆの駆動力が発生する。すなわち、フォーカシングコイル部３ａに発生した駆動力Ｐｆによってレンズホルダ２はフォーカシング方向Ｆに駆動されることとなる。
【００５３】
つぎに、可動体のトラッキング方向Ｔへの駆動動作を説明する。
【００５４】
図３（ａ）においてトラッキングコイル部３ｂ、３ｃに図示の矢印方向Ｉｔに電流を流すと、有効コイル領域３ｂ１および有効コイル領域３ｃ１に対向する磁極領域５ａはＮ極、有効コイル領域３ｂ２および有効コイル領域３ｃ２に対向する磁極領域５ｂはＳ極であるので、トラッキングコイル部３ｂ、３ｃの有効コイル領域３ｂ１、３ｂ２、３ｃ１、３ｃ２にはいずれも矢印方向Ｐｔの駆動力が発生する。すなわち、トラッキングコイル部３ｂ、３ｃに発生した駆動力Ｐｔによってレンズホルダ２はトラッキング方向Ｔに駆動されることとなる。
【００５５】
本実施の形態による対物レンズ駆動装置をフォーカシング方向およびトラッキング方向へ駆動したときのベースに発生している不要共振を、シミュレーションにより求めると、図４に示す通り、ベースに発生している不要共振が分散されていることがわかる。即ち、不要共振が全体に広がらず、図中の第１，第２の多極マグネット４，５が取り付けられる付近だけが白っぽくなっており、ベース６の強度を下げたので、不要共振が抑えられているのが分かる。
【００５６】
以上の駆動動作より、第１の多極マグネット４および第２の多極マグネットを取り付けている部分のベース６の強度を弱くすることにより不要共振を分散することができ不要共振を低減することかできる。
【００５７】
また、フォーカシングコイルおよびトラッキングコイルを構成する構成要素としてフォーカシングコイル部３ａとトラッキングコイル部３ｂ、３ｃが一体的に構成されたプリントコイル３を用いているが、フォーカシングコイルおよびトラッキングコイルが各々独立に構成された、例えば巻き線コイルを用いた場合でも同様の効果が得られることは言うまでもない。
【００５８】
本実施の形態１では、支持手段を構成する構成要素をワイヤー７ａ〜７ｄとしたが、支持手段には関わりなく、同様の効果を得ることができる。
【００５９】
また、マグネット構成について多極マグネットを用いているが、多極着磁されていないマグネットを用いた場合でも同様の効果が得られることは言うまでもない。
【００６０】
フォーカシング方向およびトラッキング方向への駆動時に発生するベースの振動を分散することができ、不要共振を低減することができる。
【００６１】
従って、対物レンズ駆動装置において安定した特性を得ることができる。
【産業上の利用可能性】
【００６２】
本発明にかかる対物レンズ駆動装置は、第１の多極マグネットおよび第２の多極マグネットを取り付けるベース部分の強度を弱くする事によりフォーカシング方向およびトラッキング方向への駆動時に発生するベースの振動を分散することができ、不要共振を低減することができ、円盤状記録媒体に光学的に情報を記録又は再生する光ディスク装置に搭載される光ヘッドの対物レンズ駆動装置、フォーカシング方向およびトラッキング方向への駆動時の不要共振がおこらない対物レンズ駆動装置等として有用である。
【図面の簡単な説明】
【００６３】
【図１】本発明の実施の形態１による対物レンズ駆動装置の構成を示す分解斜視図
【図２】同対物レンズ駆動装置の構成を示す平面図
【図３】同対物レンズ駆動装置のトラッキングコイル部と第１、第２の多極マグネットの位置関係を示す側面図及び平面図
【図４】同対物レンズ駆動装置を駆動したときのシミュレーションの結果を示す模式図
【図５】従来の対物レンズ駆動装置の構成を示す分解斜視図
【図６】従来の対物レンズ駆動装置の構成を示す平面図
【図７】従来の対物レンズ駆動装置のトラッキングコイル部と第１、第２の多極マグネットの位置関係を示す側面図及び平面図
【図８】従来の対物レンズ駆動装置を駆動したときのシミュレーションの結果を示す模式図
【符号の説明】
【００６４】
１    対物レンズ
２    レンズホルダ
３    プリントコイル
３ａ    フォーカシングコイル部
３ｂ、３ｃ    トラッキングコイル部
４    第１の多極マグネット
５    第２の多極マグネット
６    ベース
７ａ〜７ｂ    ワイヤー
８    サスホルダ
９    中継端子板
１０    固定基板
【図１】
2005310237.tif 000003
【図２】
2005310237.tif 000004
【図３】
2005310237.tif 000005
【図４】
2005310237.tif 000006
【図５】
2005310237.tif 000007
【図６】
2005310237.tif 000008
【図７】
2005310237.tif 000009
【図８】
2005310237.tif 000010